(57)【要約】      （修正有）【課題】エプロンの着脱が誰でも簡単に出来、且つ、万が一結び紐が解けても脱落する事がなく、且つ、食べ落とした物が首の隙間から入り込み、衣服を汚す事も無く、又、食べ落とした物を確実にキャッチする為、床面上に落下して汚れる心配が無い乳児用伸縮式首バンド・ポケット付エプロンを提供する。【解決手段】  上部左右に肩宛部をそれぞれ設け、且つ、肩宛部の背面内側角部に所定長さの結び紐等の係止部材をそれぞれ設け、且つ、首周りにゴムバンド等の伸縮部材を縫着して設け、且つ、左右脇下部に脱落防止用脇紐等の係止部材を縫着して腕通し穴部をそれぞれ設けたエプロンと、エプロン表面下部に位置し、受け口部を拡大可能に設けたポケットから成り、且つ、食事時等に使用する時は、首宛部に隙間が空かない様に確実に固着させ、且つ、食べ落としたものがポケット内に入り易くする為、受け口部を拡大可能にした。【選択図】図１
0003120882.tif 000002
【実用新案登録請求の範囲】
【請求項１】
上部左右に肩宛部（１ａ）（１ｂ）をそれぞれ設け、且つ、該肩宛部（１ａ）（１ｂ）の背面内側角部に所定長さ（Ｌ）（Ｌ’）の結び紐等の係止部材（４）（４’）をそれぞれ設け、且つ、首周りにゴムバンド等の伸縮部材（３）を縫着して設け、且つ、左右脇下部に脱落防止用脇紐等の係止部材（５）（５’）を縫着して腕通し穴部（５ａ）（５ａ’）をそれぞれ設けたエプロン（１）と、該エプロン（１）表面下部に位置し、受け口部（８）を拡大可能に設けたポケット（２）から成り、且つ、食事時等に使用する時は、首宛部に隙間が空かない様に確実に固着させ、且つ、食べ零したものがポケット（２）内に入り易くする為、受け口部（８）を拡大可能した事を特徴とする乳児用首バンド・ポケット付エプロン。
【考案の詳細な説明】
【技術分野】
【０００１】
この考案は、乳児用伸縮式首バンド・ポケット付エプロンに関するものである。
【背景技術】
【０００２】
従来、乳児が食事時等に胸元に掛けて使用するエプロンは、食べ零しが多く、食事の後の掃除が大変で、又、涎等で汚れ易く洗濯等の手間が掛かり大変であった。
【０００３】
特に、従来のエプロンは首周りに隙間がある為、折角エプロンを着用していても、その隙間から食べた物が入り込み、衣服を汚すといった問題があった。
【０００４】
又、従来のエプロンに設けられたポケットは受口部が拡大し難く形成されていた為、折角ポケットが付いていても、食べ零した物を確実にキャッチし難く、充分な効果が得られなかった。
【０００５】
そこで、これまでに出願されている乳児用エプロンの特許文献を参考の為、紹介する。（特許文献１〜２参照。）
【特許文献１】特開平１０−２３７７１２
【特許文献２】登録実用新案第３０９２６５４号
【考案の開示】
【考案が解決しようとする課題】
【０００６】
そこで、上記課題を解決する為に、この考案はエプロンの着脱が誰でも簡単に出来、且つ、万が一結び紐が解けても脱落する事がなく、且つ、食べ零した物が首の隙間から入り込み、衣服を汚す事も無く、又、食べ零した物を確実にキャッチする為、床面上に落下して汚れる心配が無い乳児用伸縮式首バンド・ポケット付エプロンを開発・提供する事にある。
【課題を解決するための手段】
【０００７】
この課題を解決する為の手段として、上部左右に肩宛部をそれぞれ設け、且つ、該肩宛部の背面内側角部に所定長さの結び紐等の係止部材をそれぞれ設け、且つ、首周りにゴムバンド等の伸縮部材を縫着して設け、且つ、左右脇下部に脱落防止用脇紐等の係止部材を縫着して腕通し穴部をそれぞれ設けたエプロンと、該エプロン表面下部に位置し、受け口部を拡大可能に設けたポケットから成り、且つ、食事時等に使用する時は、首宛部に隙間が空かない様に確実に固着させ、且つ、食べ零したものがポケット内に入り易くする為、受け口部を拡大可能にしたものである。
【考案の効果】
【０００８】
この考案の効果として、上部左右に肩宛部をそれぞれ設け、且つ、該肩宛部の背面内側角部に所定長さの結び紐等の係止部材をそれぞれ設け、且つ、首周りにゴムバンド等の伸縮部材を縫着して設け、且つ、左右脇下部に脱落防止用脇紐等の係止部材を縫着して腕通し穴部をそれぞれ設けたエプロンと、該エプロン表面下部に位置し、受け口部を拡大可能に設けたポケットから成り、且つ、食事時等に使用する時は、首宛部に隙間が空かない様に確実に固着させ、且つ、食べ零したものがポケット内に入り易くする為、受け口部を拡大可能にした事で、エプロンの着脱が誰でも簡単に出来、且つ、万が一結び紐が解けても脱落する事がなく、且つ、食べ零した物が首の隙間から入り込み、衣服を汚す事も無く、又、食べ零した物を確実にキャッチする為、床面上に落下して汚れる心配が無い等、極めて有益なる効果を奏するものである。
【考案を実施するための最良の形態】
【０００９】
この考案の最良の形態として、乳児の体格（身長・胸囲・胴囲・首周り）に適合した段階的な寸法形状に形成する事が重要である。
【実施例１】
【００１０】
そこで、この考案の一実施例を図１〜図３に基づいて詳述すると、上部左右に肩宛部（１ａ）（１ｂ）をそれぞれ設け、且つ、該肩宛部（１ａ）（１ｂ）の背面内側角部に所定長さ（Ｌ）（Ｌ’）の結び紐等の係止部材（４）（４’）をそれぞれ設け、且つ、首周りにゴムバンド等の伸縮部材（３）を縫着して設け、且つ、左右脇下部に脱落防止用脇紐等の係止部材（５）（５’）を縫着して腕通し穴部（５ａ）（５ａ’）をそれぞれ設けたエプロン（１）と、該エプロン（１）表面下部に位置し、受け口部（８）を拡大可能に設けたポケット（２）から成り、且つ、食事時等に使用する時は、首宛部に隙間が空かない様に確実に固着させ、且つ、食べ零したものがポケット（２）内に入り易くする為、受け口部（８）を拡大可能した事を特徴とする乳児用首バンド・ポケット付エプロンから構成される。
【００１１】
次に、この考案の材質・寸法形状等、詳細について説明すると、まず、材質は全体的にナイロン１００%を使用し、エプロン（１）の全幅は胸部が約２８０ｍｍで、肩部が約３６５ｍｍと末広がりに形成され、前身頃部分の丈寸法が約３１０ｍｍで、肩宛部（１ａ）（１ｂ）の丈寸法が約１３５ｍｍで、首周りには食べ零したものが隙間から侵入しない様、ゴムバンド等の伸縮部材（３）を縫着し、上部左右に設けた肩宛部（１ａ）（１ｂ）の背面内側角部に全長約２４０ｍｍ×幅約７ｍｍの結び紐等の係止部材（４）（４’）をそれぞれ設け、且つ、左右脇下部に幅約７ｍｍの脱落防止用脇紐等の係止部材（５）（５’）を縫着して腕通し穴部（５ａ）（５ａ’）をそれぞれ設け、且つ、該エプロンの表面下部には深さが約９０ｍのナイロン製のポケット（２）を設け、該ポケット（２）の中央下部にギャザー縫い部（２ａ）を設けて受け口部（８）を拡大可能にし、食べ零したものがポケット（２）内に入り易くしたものである。又、ポケットの受け口部（８）を拡大する為のその他の形成方法として、予め、ポケットの上端部を下端部より広めに型取りし縫着する方法でも構わない。
【００１２】
又、エプロン（１）の全周部、及び、ポケット（２）の受け口部（８）には美観を良くする為に、幅約７ｍｍのナイロン製の縁飾部材（６）（７）を表裏にそれぞれ縫着している。
【００１３】
次に、この考案の着用方法及び使用方法について説明すると、まず、最初に左右両腕をエプロンの腕通し穴部（５ａ）（５ａ’）にそれぞれ通し、首周りに隙間が空かない様、確実に固着して肩宛部（１ａ）（１ｂ）の背面内側角部に設けた結び紐等の係止部材（４）（４’）でしっかり結んで固着する。そして、食事時等に使用する時は、食べ零した物が入り易くする為、ポケットのギャザー縫い部（２ａ）を伸ばし、受け口部（８）を拡大して使用する。
【産業上の利用可能性】
【００１４】
この考案の乳児用首バンド・ポケット付エプロンは、誰でも着脱が簡単に出来、且つ、万が一結び紐が解けても脱落する事がなく、且つ、食べ零した物が首の隙間から入り込み、衣服を汚す事も無く、又、食べ零した物を確実にキャッチする為、床面上に落下して汚れる心配が無い為、乳児を持つ多くの家庭に寄与する点で産業上の利用可能性を有する。
【図面の簡単な説明】
【００１５】
【図１】この考案の一実施例を示し、正面図である。
【図２】この考案の一実施例を示し、背面図である。
【図３】この考案の一実施例を示し、（Ａ）は図１のａ−ａ矢視拡大断面図で、（Ｂ）は図３（Ａ）のａ部拡大詳細図で、（Ｃ）は図３（Ａ）のｂ部拡大詳細図である。
【符号の説明】
【００１６】
１  エプロン
１ａ  左肩宛部
１ｂ  右肩宛部
２  ポケット
２ａ  ギャザー縫い部
３  伸縮部材
４  紐等の左係止部材
４’  紐等の右係止部材
５  脱落防止用脇紐等の左係止部材
５’  脱落防止用脇紐等の右係止部材
５ａ  左腕通し穴部
５ａ’  右腕通し穴部
６  縁飾部材（エプロン全周部）
７  縁飾部材（ポケット受け口部）
８  受け口部
Ｌ  所定長さ（右側結び紐）
Ｌ’  所定長さ（左側結び紐）
【図１】
0003120882.tif 000003
【図２】
0003120882.tif 000004
【図３】
0003120882.tif 000005